【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
はんだ付け処理のために搬送される基板の幅に対応して変更される調整部材を有するはんだ付け装置であって、
上記調整部材は、
回転駆動されるネジ軸と、
該ネジ軸が回転駆動されることにより、前記ネジ軸に対する固定位置を進退可能になされるとともに連結用のフランジ部を有するナットと、
前記連結用のフランジ部を介して前記ナットに固定された、前記基板の幅に対応して基板搬送用レールの幅を変更するための基板搬送用レール支持部とを備え、
前記ナットはその先端から後端までネジ部を有すると共に、前記ナットの全長に亘り前記ネジ軸に噛合しない１以上の非噛合部を有し、
前記ネジ軸を回転させて前記基板搬送用レールの幅を変更するとき、
前記ネジ軸に付着した付着物が、前記ネジ軸の回転に伴って前記非噛合部の端面によって削り取られるはんだ付け装置。
【手続補正２】
【補正対象書類名】明細書
【補正対象項目名】発明の名称
【補正方法】変更
【補正の内容】
【発明の名称】はんだ付け装置
【手続補正３】
【補正対象書類名】明細書
【補正対象項目名】０００１
【補正方法】変更
【補正の内容】
【０００１】
本発明は、電子部品をプリント配線基板に実装する際にフラックスを利用するリフロー装置や、噴流はんだ付け装置等のはんだ付け装置に関する。詳しくは、はんだ付け処理により気化したフラックスの一部が付着してネジ軸等に固着してもネジ軸の回転に支障が出ないようにしたナットを用いたはんだ付け装置に関する。
【手続補正４】
【補正対象書類名】明細書
【補正対象項目名】０００６
【補正方法】変更
【補正の内容】
【０００６】
例えば、気化したフラックスヒュームの一部が、プリント配線基板を搬送する搬送用レールを基板サイズに合ったレール幅にするための部材（ネジ軸やナット等）の表面にも付着して、温度の低下に伴い流動性のある液体のフラックスヒュームとなる。液化したフラックスヒュームが、やがては固化する。固化したフラックスヒュームは剥がれにくく、硬く付着してしまうので、ネジ軸の回転によっては簡単には剥がれない。そのためナットの進行が困難となり、レール幅の調整を著しく困難にしている。
【手続補正５】
【補正対象書類名】明細書
【補正対象項目名】０００７
【補正方法】変更
【補正の内容】
【０００７】
噴流はんだ付け装置では、フラックスが予め塗布されたプリント配線基板面に、はんだ槽に収容された溶融はんだを噴流させてはんだ付け処理を行うが、はんだ層によって加熱されたフラックス成分が気化するので、上記リフロー装置での問題は、噴流はんだ付け装置においてもみられる。また、はんだ付け装置以外で、ネジ軸に付着物が固着した場合においても、ネジ軸の回転によっては簡単にその固着物が剥がれないという同様の問題を有する。
【手続補正６】
【補正対象書類名】明細書
【補正対象項目名】０００９
【補正方法】変更
【補正の内容】
【０００９】
しかしながら、はんだ付け装置を例にとると、上記特許文献１に開示されるハンダ装置には、フローハンダ装置やリフロー装置等に適用できる実装基板の幅に調整可能な基板搬送用のレールの開示はあるが、このハンダ装置では、上記問題に対して何ら対策を施していなかった。また、はんだ付け装置以外でも、ネジ軸に付着物が固着した場合においても上記問題に対して何ら対策を施していなかった。
【手続補正７】
【補正対象書類名】明細書
【補正対象項目名】００１０
【補正方法】変更
【補正の内容】
【００１０】
そこで、本発明はこのような課題を解決したものであって、はんだ付け装置内にある基板サイズに合ったレール幅にするための部材（ネジ軸やナット）に付着して固化したフラックスヒュームを取り除くことを目的とする。また、ネジ軸に付着物が固着した場合においても同様にネジ軸に固着した付着物を取り除くことを目的とする。
【手続補正８】
【補正対象書類名】明細書
【補正対象項目名】００１１
【補正方法】変更
【補正の内容】
【００１１】
上述の課題を解決するために採った本発明の技術手段は、次の通りである。
（１）はんだ付け処理のために搬送される基板の幅に対応して変更される調整部材を有するはんだ付け装置であって、調整部材は、回転駆動されるネジ軸と、該ネジ軸が回転駆動されることにより、ネジ軸に対する固定位置を進退可能になされるとともに連結用のフランジ部を有するナットと、連結用のフランジ部を介してナットに固定された、基板の幅に対応して基板搬送用レールの幅を変更するための基板搬送用レール支持部とを備え、ナットはその先端から後端までネジ部を有すると共に、ナットの全長に亘りネジ軸に噛合しない１以上の非噛合部を有し、ネジ軸を回転させて基板搬送用レールの幅を変更するとき、ネジ軸に付着した付着物が、ネジ軸の回転に伴って非噛合部の端面によって削り取られるはんだ付け装置。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】変更
【補正の内容】
【００２１】
本発明に用いられるナットによれば、当該ナットに螺合されるネジ軸に付着物が固着していても、非噛合部の作用で付着物を剥ぎ取ることができる。ナットで剥ぎ取った付着物が、再び他のネジ軸（ネジの谷）に固着することなく非噛合部に剥ぎ落されるあるいは削り落とされるので、剥ぎ取られた付着物（削りカス）によってネジ軸の回転が阻害されなくなり、ネジ軸の回転がスムーズになる。その結果、従来と比べて容易にナットの固定位置を変更（調整）することが出来るようになる。
【手続補正１９】
【補正対象書類名】明細書
【補正対象項目名】００２３
【補正方法】変更
【補正の内容】
【００２３】
本発明に用いられるナットと、当該ナットに螺合されるネジ軸をリフロー装置に適用する場合には、プリント配線基板の搬送用レールを基板サイズに合ったレール幅に、容易に調整できるようになる。付着したフラックスを容易に除去できるようになるため、はんだ付け装置のメンテナンスに必要な時間及び経費を削減することができる。
【手続補正２０】
【補正対象書類名】明細書
【補正対象項目名】００２４
【補正方法】変更
【補正の内容】
【００２４】
【図１】（Ａ）及び（Ｂ）は、第１の実施形態としてのナット１０の構成例を示す平面図及び斜視図である。
【図２】ナット１０の構成例を示すＡ−Ａ断面図である。
【図３】（Ａ）及び（Ｂ）は、ナット１０の変形例を示す平面図及び斜視図である。
【図４】本発明に係るはんだ付け装置１の構成例を示す概略平面図である。
【図５】（Ａ）及び（Ｂ）は、ナット１０をはんだ付け装置１に取り付けたときの調整例を示す断図及び拡大断面図である。
【図６】（Ａ）及び（Ｂ）は、第２の実施形態としてのナット２０の構成例を示す斜視図及びＢ−Ｂ断面図である。
【図７】（Ａ）及び（Ｂ）は、第３の実施形態としてのナット３０の構成例を示す斜視図及びＣ−Ｃ断面図である。
【図８】（Ａ）及び（Ｂ）は、ナット４のネジ先及びナット４のネジ頭に第４の実施形態としてのナット用アタッチメント４０を連結させた例を示す断面図である。
【図９】（Ａ）及び（Ｂ）は、第５の実施形態としてのネジ軸５０の構成例を示す斜視図及び第６の実施形態としてのネジ軸７０の構成例を示す側面図である。
【手続補正２１】
【補正対象書類名】明細書
【補正対象項目名】００２５
【補正方法】変更
【補正の内容】
【００２５】
以下、図面を参照しながら、本発明に係る実施の形態としてのはんだ付け装置について説明する。
（実施例１）
【手続補正２２】
【補正対象書類名】明細書
【補正対象項目名】００２６
【補正方法】変更
【補正の内容】
【００２６】
図１〜図３を参照して、ナット１０の構成例及び変形例を説明する。図１に示すナット１０は、所定の長さを有するネジ軸２（図４参照）に螺合し、ネジ軸２に対してナット１０の固定位置を変更することができるものである。図１（Ａ）において、ナット１０のネジ谷１６は、細線の円で示されている。ナット１０のネジ山１７は、太線の円弧で示されている。
【手続補正２３】
【補正対象書類名】明細書
【補正対象項目名】００３８
【補正方法】変更
【補正の内容】
【００３８】
後に詳述するが、図４に示したように、本発明に係るはんだ付け装置１には、ナット１０以外にも、ナット４、ナット２０、３０又はナット用アタッチメント４０を備えることができる。従来のネジ軸２、ネジ軸５０又はネジ軸７０もはんだ付け装置１に備えることができる。ただし、従来のネジ軸２及び従来のナットを有するはんだ付け装置１に本発明を適用する場合、従来のナット４に後述するナット用アタッチメント４０を連結することにより本発明を達成することができる。
【手続補正２４】
【補正対象書類名】明細書
【補正対象項目名】００４０
【補正方法】変更
【補正の内容】
【００４０】
ナット１０は、はんだ付け装置１に取り付けられるとき、はんだ付け装置１を長期使用した際にナット１０及びネジ軸２に固着物６があっても、ナット１０がネジ軸２上を進むように回転させるだけで、切欠部１２が、固着物６を削って取り除くように作用する。そのため、基板サイズに合ったレール幅にするための部材（ネジ軸２やナット１０）に付着して固化したフラックスヒュームを容易に取り除くことができ、ナット１０の固定位置を容易に変更できる特徴を有する。
【手続補正２５】
【補正対象書類名】明細書
【補正対象項目名】００４８
【補正方法】変更
【補正の内容】
【００４８】
ナット２０は、図４に示すようなはんだ付け装置１等に取り付けられ、図５（Ａ）及び（Ｂ）で示した実施形態１のナット１０と同様に動作する。このとき、ネジ軸２にフラックスヒューム等の固着があっても、ナット２０がネジ軸２上を進むように回転させるだけで、切欠部２２が、その固着を取り除くように作用する。これにより、基板サイズに合ったレール幅にするための部材（ネジ軸２やナット２０）に付着して固化したフラックスヒュームを容易に取り除くことができ、ナット２０の固定位置を容易に変更することができる特徴を有する。
【手続補正２６】
【補正対象書類名】明細書
【補正対象項目名】００５８
【補正方法】変更
【補正の内容】
【００５８】
ナット３０は、図４、  図５（Ａ）及び（Ｂ）に示すはんだ付け装置１に取り付けられる場合、はんだ付け装置１を長期使用した際に固着物６が発生しても、ネジ軸２に固着物６が発生しても、ナット３０がネジ軸２上を進むように回転させるだけで、切欠部３２が、付着物を削って取り除くように作用する。これにより、基板サイズに合ったレール幅にするための部材（ネジ軸２やナット３０）に付着して固化したフラックスヒュームを容易に取り除くことができ、ナット３０の固定位置を容易に変更することができる特徴を有する。
【手続補正２７】
【補正対象書類名】明細書
【補正対象項目名】００７０
【補正方法】変更
【補正の内容】
【００７０】
ネジ軸２に固着物６（図５（Ａ）及び（Ｂ）参照）が発生しても、ナット４及びナット用アタッチメント４０がネジ軸２上を進むように回転させるだけで、切欠部４２が、付着物を削って取り除くように作用する。例えば、はんだ付け装置１に取り付けられた場合、基板サイズに合ったレール幅にするための部材上に付着して固化したフラックスヒュームを容易に取り除くことができ、ナット４及びナット用アタッチメント４０の固定位置を容易に変更することができる特徴を有する。
【手続補正２８】
【補正対象書類名】明細書
【補正対象項目名】００７８
【補正方法】変更
【補正の内容】
【００７８】
このように実施形態としてのネジ軸５０、７０によれば、ネジ軸５０、７０の長手方向と平行に形成される切欠溝部５２、７２からなる非噛合部５１、７１を有する。ネジ軸５０、７０は、ナット４（図４参照）、ナット１０（図１（Ａ）、（Ｂ）等参照）等、又はナット用アタッチメント４０（図８（Ａ）、（Ｂ）等参照）等と連結された従来のナット４に螺合する。この構成により、ネジ軸５０、７０は、ネジ軸５０、７０に対するナット４等の固定位置を従来と比べて容易に調整できるようになる。
【手続補正２９】
【補正対象書類名】明細書
【補正対象項目名】００７９
【補正方法】変更
【補正の内容】
【００７９】
ネジ軸５０、７０は、例えば、図４に示すようなはんだ付け装置１のレール幅を変更するための部材として取り付けられる。このときネジ軸５０、７０に固着物６（図５（Ａ）及び（Ｂ）参照）が発生しても、ナット４がネジ軸５０、７０上を進むように回転させるだけで、切欠溝部５２、７２が、付着物を削って取り除くように作用する。これにより、基板サイズに合ったレール幅にするための部材（ネジ軸５０、７０、ナット４）に固着するフラックスを容易に取り除くことができるようになる。
【手続補正３０】
【補正対象書類名】明細書
【補正対象項目名】００８０
【補正方法】変更
【補正の内容】
【００８０】
本発明は、ネジ軸に付着物が固着していても、非噛合部の作用で付着物を剥ぎ取ることができるので、ネジ軸に付着物が固着する場合に適用できる。例えば、フラックスヒュームが固着するはんだ付け装置や塗料が固着する塗料塗布装置等に適用して極めて好適である。